(57)【要約】【課題】  小型な部品を重ねて建築物の屋根、壁、床、天井、階段などの構造体、及びそれを構築できる構築方法を提供する。【解決手段】  構造体構成ユニットに貫通孔が３個開いており、その順番は、前より大口径、小口径、小口径と開いており、その構成ユニットに同一形状の構成ユニットの穴の順番を逆にし、２個の構成ユニットを合体させ一定枚数連結させるボルトで固定したものを更に穴をずらしながら固定することにより、壁、床の構造体の構築ができ、その方法で斜めに単体で積み上げて行くことにより階段の構造体も容易に構築できる。【選択図】  図２１
2014040764.tif 000002
【特許請求の範囲】
【請求項１】
同一形状の構成ユニットを複数本の締め付けボルトにより複数ユニットを組み合わせて所望の構造物を構成するための構造物構成ユニットであり、
該構造物構成ユニットは、複数のエレメントを複数段重ねて構成されてなり、前記締め付けボルトを貫通させるための複数個の貫通穴を形成しており、該複数の貫通穴のうち少なくとも一つの貫通穴はボルト頭又はナットの収容が可能な大きな貫通穴により構成し、他の貫通穴はボルトの貫通が可能な小さな貫通穴としたことを特徴とする構造物構成ユニット。
【請求項２】
該構造物構成ユニットは、一つの構成パーツを少なくとも２個重ね合わせてエレメントを作り、該エレメントを複数段重ねて構成されてなり、前記構成パーツは前記締め付けボルトを貫通させるための複数個の貫通穴を形成しており、該複数の貫通穴のうち少なくとも一つの貫通穴はボルト頭又はナットの収容が可能な大きな貫通穴により構成し、他の貫通穴はボルトの貫通が可能な小さな貫通穴としたことを特徴とする請求項１記載の構造物構成ユニット。
【請求項３】
前記構造物構成ユニットは、２個の前記構成パーツを組み合わせる場合には、夫々の構成パーツの前後を反転させて組み合わせることにより段を構成するようにしたことを特徴とする請求項２記載の構造物構成ユニット。
【請求項４】
前記構成パーツは、前記ボルト頭又はナットを収容できる大きさの貫通穴には、該貫通穴に直行し、かつ当該構成パーツの長手方向と直行する方向のボルト締め付け穴を形成したことを特徴とする請求項２又は３記載の構造物構成ユニット。
【請求項５】
同一形状の構成ユニットを複数本の締め付けボルトにより複数ユニットを組み合わせて所望の構造物を構成するための構造物構成ユニットにより構成される構造物であり、
該構造物を構成する構造物構成ユニットは、複数個のエレメントを複数段重ねて構成されてなり、前記締め付けボルトを貫通させるための複数個の貫通穴を形成しており、該複数の貫通穴のうち少なくとも一つの貫通穴はボルト頭又はナットの収容が可能な大きな貫通穴により構成し、他の貫通穴はボルトの貫通が可能な小さな貫通穴としており、
複数個の前記構造物構成ユニットが前記複数本の締め付けボルトにより締め付けて一体化されていることを特徴とする構造物。
【請求項６】
同一形状の構成ユニットを複数本の締め付けボルトにより複数ユニットを組み合わせて所望の構造物を構成するための構造物構成ユニットにより構成される構造物であり、
該構造物を構成する構造物構成ユニットは、一つの構成パーツを少なくとも２個重ね合わせてエレメントを作り、該エレメントを複数段重ねて構成されてなり、前記構成パーツは前記締め付けボルトを貫通させるための複数個の貫通穴を形成しており、該複数の貫通穴のうち少なくとも一つの貫通穴はボルト頭又はナットの収容が可能な大きな貫通穴により構成し、他の貫通穴はボルトの貫通が可能な小さな貫通穴としており、
複数個の前記構造物構成ユニットが前記複数本の締め付けボルトにより締め付けて一体化されていることを特徴とする構造物。
【請求項７】
同一形状の構成ユニットを複数本の締め付けボルトにより複数ユニットを組み合わせて所望の構造物を構成するための構造物構成ユニットにより構成される構造物の構築方法であり、
該構造物を構成する構造物構成ユニットは、複数個のエレメントを複数段重ねて段組みして構成し、
前記構成エレメントは前記締め付けボルトを貫通させるための複数個の貫通穴を形成しており、該複数の貫通穴のうち少なくとも一つの貫通穴はボルト頭又はナットの収容が可能な大きな貫通穴により構成し、他の貫通穴はボルトの貫通が可能な小さな貫通穴としており、
複数個の前記構造物構成ユニットを、前記複数本の締め付けボルトにより締め付けて、当該複数個の前記構造物構成ユニットを一体化することを特徴とする構造物を構築する方法。
【請求項８】
同一形状の構成ユニットを複数本の締め付けボルトにより複数ユニットを組み合わせて所望の構造物を構成するための構造物構成ユニットにより構成される構造物の構築方法であり、
該構造物を構成する構造物構成ユニットは、一つの構成パーツを少なくとも２個重ね合わせてエレメントを作り、次いで、該エレメントを複数段重ねて段組みして構成し、
前記構成パーツは前記締め付けボルトを貫通させるための複数個の貫通穴を形成しており、該複数の貫通穴のうち少なくとも一つの貫通穴はボルト頭又はナットの収容が可能な大きな貫通穴により構成し、他の貫通穴はボルトの貫通が可能な小さな貫通穴としており、
複数個の前記構造物構成ユニットを、前記複数本の締め付けボルトにより締め付けて、当該複数個の前記構造物構成ユニットを一体化することを特徴とする構造物を構築する方法。
【発明の詳細な説明】
【技術分野】
【０００１】
本発明は、構造物構成ユニット、及び構造物構成ユニットにより構成される構造物、及び構造物構成ユニットにより構造物を構築する方法に関するものであり、特に、構造物構成ユニットにより構成される建物としては、壁部、床部及び階段を構築するのに適したものである。
【０００２】
なお、本発明において使用する「構造物構成ユニット」或いは「ユニット」との用語は、一つの「構成パーツ」或いは「パーツ」を少なくとも２個重ね合わせて「エレメント」を構成し、その「エレメント」を複数段重ねて「ユニット」を構成するものである。具体的には後段にて説明する。
本発明においては、「エレメント」は、必ずしも、少なくとも２個の「構成パーツ」或いは「パーツ」を重ね合わせて構成される必要はない。
【背景技術】
【０００３】
従来、壁や床を構造体により構成するログハウス等は、一般に、同一サイズの丸太を井桁上に積み上げて作った建物であり、丸太に積み上げた丸太とで上から下までの通しボルトにナットで締め付けることにより全段の固定を行っている。
【０００４】
この種の壁面構造として、例えば、特許文献１（特に図５参照）、特許文献２（特に図５参照）、特許文献３（特に第３図）に開示されているような壁面用ブロックのボルトでの固定方法の記載が無く、特許文献４（特に図４）の背景技術の項目内容に「これらによると基礎上に立設されたボルトを頼りに、その上につみきを積み上げる」と記載されており、前記の従来のログハウスと同様に壁面用ブロック同士に上から下までの通しボルトにより全体を連結したものである。
【０００５】
または、公知の壁面構造物としてボルトでの連結方法では、 特許文献４、特許文献７、特許文献１２（特に図９）、特許文献１５に開示されるような壁面の構築方法は、下から上までの構造体及び壁面材をボルトで通して固定する方法である。
【０００６】
または、公知の壁面構造物としてボルトでの連結方法では、特許文献５、特許文献６、特許文献８（特に図５．図６）に開示されるような壁面の構築方法は、上記の方法とは異なるが、同一のボルトの頭にナットが付いており壁面材を積みかさねながら同時にボルトでの固定を行う固定構造であるが、結果的に下から上までの構造体及び壁面材をボルトで通して固定する方法である。
【０００７】
特許文献９（特に図４）に開示される階段構造は、多数に開口された構造本体にボルトとナットを装着し部品を一つずつずらしながら積み上げ本体より短く出たボルトにナットで固定する螺旋構造である。
【０００８】
特許文献１０（特に図１、図２、図３、図４）に開示される架梁構造はブロック本体に一つの貫通孔が開いており、その両端部は半円状の溝を設けており、ブロック本体を並べることにより、両端部の半円の溝が円状の開口になりその開口にボルトを通しその継ぎ目の上に水平補強部材を挟み込み固定して中心の貫通孔の内部に固定したナットが格納される構造であり、固定したら後に緩んだナットの締め付け調整は出来ない構造である。
【０００９】
特許文献１１（特に図４）に開示される耐震構造のブロック本体に複数の貫通孔が開いており、特許文献１０と類似しており、その両端部も半円状の溝を設けており、ブロック本体を並べることにより、両端部の半円の溝が円状の開口になりその開口にボルトを通すことができ、その継ぎ目と重ならない様に、ブロック本体を固定しながら大きい貫通孔の内部に固定したナットが格納される構造であり、固定したら後に緩んだナットの締め付け調整は出来ない構造である。
【００１０】
特許文献１３（特に図８）に開示される壁工法、及びパネルに用いるブロック本体はコンクリートを打設する為の支保工であり、パネル及びブロックの貫通孔は、型棒と称する棒を貫通孔に入り、下部から上部に型棒がパネル及びブロック本体に内部を通すことによってブロックの崩壊を防ぐ効果があり、型棒でパネル及びブロック同士を固定する構造でなく、型棒を差した状態でさらに外部による調整した状態でコンクリートを打設する方法である。
【００１１】
特許文献１４（特に図３）に開示される木造建築の請求項１で所定の四角形断面を有する木製の角材を水平に順次積み重ねるとともに上下の前記角材間を接着剤で接着し、且つ上下の位置関係にある前記角材の双方に跨って釘を打ち込むことにより固定結合して形成された木造壁を有することを特徴とする木造建築の工法である。
【先行技術文献】
【特許文献】
【００１２】
【特許文献１】特開平８−１５８５０８号公報
【特許文献２】特開平５−１６３７７１号公報
【特許文献３】国際公開ＷＯ００−４３６０６号
【特許文献４】特開２００９−２６４０４４号公報
【特許文献５】特開平９−２０９４７８号公報
【特許文献６】特公平６−４１６９９号公報
【特許文献７】特開２００３−２１３９７０号公報
【特許文献８】特開平６−５７８５２号公報
【特許文献９】特開平２０１１−２０２６７８号公報
【特許文献１０】特開平９−２３５８０１号公報
【特許文献１１】特開２００９−２５６８７８号公報
【特許文献１２】特開平９−２２８５１５号公報
【特許文献１３】特開２０１０−３７７５８号公報
【特許文献１４】特開２００１−２０７５６６号公報
【特許文献１５】実用新案登録第３１３２８８８号公報
【発明の概要】
【発明が解決しようとする課題】
【００１３】
従来、ログハウスなどは、太くて丈夫で非常に重い木材をクレーン等で持ち上げて、井桁上に積み上げる方法で建築していた。
【００１４】
なお従来、階段のささら桁は、専門知識と三角関数を用いて罫書き、専用工具で溝を彫り、その溝に段板を固定した物が支流であり、ささら桁は、階段の勾配に合わせ斜めに取り付け,材料は長尺のため運搬などは建築資材の専門店で行い、万が一、間違った場合、再度注文して長尺の材料を現場まで運んで貰わないといけないので非情に神経を尖らせる作業工程であった。
【課題を解決するための手段】
【００１５】
本発明の構造物構成ユニットは、同一形状の構成ユニットを複数本の締め付けボルトにより複数ユニットを組み合わせて所望の構造物を構成するための構造物構成ユニットであり、  該構造物構成ユニットは、複数のエレメントを複数段重ねて構成されてなり、前記締め付けボルトを貫通させるための複数個の貫通穴を形成しており、該複数の貫通穴のうち少なくとも一つの貫通穴はボルト頭又はナットの収容が可能な大きな貫通穴により構成し、他の貫通穴はボルトの貫通が可能な小さな貫通穴としたことを特徴とする。
【００１６】
本発明の構造物構成ユニットは、同一形状の構成ユニットを複数本の締め付けボルトにより複数ユニットを組み合わせて所望の構造物を構成するための構造物構成ユニットであり、
該構造物構成ユニットは、一つの構成パーツを少なくとも２個重ね合わせてエレメントを作り、該エレメントを複数段重ねて構成されてなり、前記構成パーツは前記締め付けボルトを貫通させるための複数個の貫通穴を形成しており、該複数の貫通穴のうち少なくとも一つの貫通穴はボルト頭又はナットの収容が可能な大きな貫通穴により構成し、他の貫通穴はボルトの貫通が可能な小さな貫通穴としたことを特徴とする。
【００１７】
さらに、本発明の構造物構成ユニットは、２個の前記構成パーツを組み合わせる場合には、夫々の構成パーツの前後を反転させて組み合わせることにより段を構成するようにしたことを特徴とする。
【００１８】
さらに、本発明の構造物構成ユニットは、前記構成パーツの前記ボルト頭又はナットを収容できる大きさの貫通穴には、該貫通穴に直行し、かつ当該構成パーツの長手方向と直行する方向のボルト締め付け穴を形成したことを特徴とする。
【００１９】
本発明の構造物は、同一形状の構成ユニットを複数本の締め付けボルトにより複数ユニットを組み合わせて所望の構造物を構成するための構造物構成ユニットにより構成される構造物であり、
該構造物を構成する構造物構成ユニットは、複数個のエレメントを複数段重ねて構成されてなり、前記締め付けボルトを貫通させるための複数個の貫通穴を形成しており、該複数の貫通穴のうち少なくとも一つの貫通穴はボルト頭又はナットの収容が可能な大きな貫通穴により構成し、他の貫通穴はボルトの貫通が可能な小さな貫通穴としており、
複数個の前記構造物構成ユニットが前記複数本の締め付けボルトにより締め付けて一体化されていることを特徴とする。
【００２０】
本発明の構造物は、同一形状の構成ユニットを複数本の締め付けボルトにより複数ユニットを組み合わせて所望の構造物を構成するための構造物構成ユニットにより構成される構造物であり、
該構造物を構成する構造物構成ユニットは、一つの構成パーツを少なくとも２個重ね合わせてエレメントを作り、該エレメントを複数段重ねて構成されてなり、前記構成パーツは前記締め付けボルトを貫通させるための複数個の貫通穴を形成しており、該複数の貫通穴のうち少なくとも一つの貫通穴はボルト頭又はナットの収容が可能な大きな貫通穴により構成し、他の貫通穴はボルトの貫通が可能な小さな貫通穴としており、
複数個の前記構造物構成ユニットが前記複数本の締め付けボルトにより締め付けて一体化されていることを特徴とする。
【００２１】
本発明の構造物を構築する方法は、同一形状の構成ユニットを複数本の締め付けボルトにより複数ユニットを組み合わせて所望の構造物を構成するための構造物構成ユニットにより構成される構造物の構築方法であり、
該構造物を構成する構造物構成ユニットは、複数個のエレメントを複数段重ねて段組みして構成し、
前記構成エレメントは前記締め付けボルトを貫通させるための複数個の貫通穴を形成しており、該複数の貫通穴のうち少なくとも一つの貫通穴はボルト頭又はナットの収容が可能な大きな貫通穴により構成し、他の貫通穴はボルトの貫通が可能な小さな貫通穴としており、
複数個の前記構造物構成ユニットを、前記複数本の締め付けボルトにより締め付けて、当該複数個の前記構造物構成ユニットを一体化することを特徴とする。
【００２２】
本発明の構造物を構築する方法は、同一形状の構成ユニットを複数本の締め付けボルトにより複数ユニットを組み合わせて所望の構造物を構成するための構造物構成ユニットにより構成される構造物の構築方法であり、
該構造物を構成する構造物構成ユニットは、一つの構成パーツを少なくとも２個重ね合わせエレメントを作り、次いで、該エレメントを複数段重ねて段組みして構成し、
前記構成パーツは前記締め付けボルトを貫通させるための複数個の貫通穴を形成しており、該複数の貫通穴のうち少なくとも一つの貫通穴はボルト頭又はナットの収容が可能な大きな貫通穴により構成し、他の貫通穴はボルトの貫通が可能な小さな貫通穴としており、
複数個の前記構造物構成ユニットを、前記複数本の締め付けボルトにより締め付けて、当該複数個の前記構造物構成ユニットを一体化することを特徴とする。
【発明の効果】
【００２３】
この発明によれば、小型の形状を利用し建築物である構造体のである、壁、床、階段などの形成を構築でき材料の運搬による流通コストを抑えることができ、仕様される主たる材料が木材であることにより、自然素材がそのままであって優しい環境を造り出すことができる。
【図面の簡単な説明】
【００２４】
【図１】本発明の実施の形態に係る基本的な平面構造のエレメントを複数段重ねた構築方法を略示的に示した説明図である。
【図２】本発明の実施の形態に係る基本的な平面構造のエレメントと異なった貫通孔を持った構造体を複数段重ねた構築方法を略示的に示した説明図である。
【図３】本発明の実施の形態に係る基本的な平面構造の構築方法のエレメントの穴と本体部品の長さの関係を略示的に示した側面図である。
【図４】本発明の実施の形態に係る平面構造の構築方法を略示的に示した説明図である。
【図５】本発明の実施の形態に係る平面構造の構築方法の一段目の穴と本体部品の長さの関係を略示的に示した側面図である。
【図６】二個一式構造物構成部品（６箇所の貫通孔を持った構造体）を切ってコーナーの部品に使用する方法を略示的に示した説明図である。
【図７】二個一式構造物構成部品（３箇所の貫通孔を持った構造体）を切ってコーナーの部品に使用する方法を略示的に示した説明図である。
【図８】二個一式構造物構成部品（３箇所の貫通孔を持った構造体）の斜視図である。
【図９】二個一式構造物構成部品（６箇所の貫通孔を持った構造体）の斜視図である。
【図１０】平面連結用のパイプワッシャーとその機能に束の要素を兼ねたパイプワッシャーの斜視図である。
【図１１】平面構造（壁）の連結方法の一部を示した斜視図である。
【図１２】二個一式構造物構成部品（３箇所の貫通孔を持った構造体）図８とコーナー部品（６箇所の貫通孔を持った構造体）図６を用いて構築方法と部品の使用位置を番号で示した説明図である。
【図１３】平面構造（床）の連結方法の一部を示した斜視図である。
【図１４】本発明の実施の形態に係る階段構造の構築方法を略示的に示した説明図である。
【図１５】二個一式構造物階段構成部品（３箇所の貫通孔を持った構造体）の斜視図である。
【図１６】階段構造における１段目の構築方法を示した斜視図である。
【図１７】階段構造における２段目の構築方法を示した斜視図である。
【図１８】階段構造における段板の構築方法を示した斜視図である。
【図１９】階段構造を構築した構造部品の一部を欠いて連結状況を示す斜視図である。
【図２０】本発明の実施の形態に係る平面構造の構築方法だが、構築方法を変えた方法を略示的に示した説明図である。
【図２１】本発明の実施の形態に係る平面構造の構築方法の壁と床の構築した状態を示した斜視図である。
【図２２】本発明の実施の形態に係る平面構造の構築前にコンクリート打設前の基礎の状態のコンクリート型枠にアンカーボルト保持治具を用いて構造物構成ユニット固定用アンカーボルトの状態を示した斜視図である。
【図２３】本発明の実施の形態に係る平面構造の構築用の基礎の状態でありコンクリート型枠にアンカーボルト保持治具を用いて構造物構成ユニット固定用アンカーボルトの状態を示した断面図である。
【発明を実施するための形態】
【００２５】
本発明は、建築物の壁、床、階段などの構造物を、複数個のエレメントをボルトとナットで強固に連結させ、構造体の本体と骨となるボルトで強度を保ち、さらに連結方法を規則化して重ねることで、構造体の部品は小型だが強固な壁面を構成する積層固定方法を提案するものである。
【００２６】
近年、人工林の保護とエコブームで間伐材の利用促進をはかり、小型の形状を利用し更に形状を簡素化し製造工程のコスト軽減を提案するものである。
【００２７】
構造物は、その機能面からすれば、通常、屋根、壁、床、天井、階段から構成されると言っても良い。その際、例えば、一直線の階段のささら桁は４ｍ以上あるので、それを如何に簡単に構成できるかが課題であった。そこで本発明は、簡単ではあるが規則的な構築方法での部品は短い状態で現地に運び、設置箇所に階段構造を構築する方法を提案するものである。その他の構造物である屋根、壁、床、天井においても同様のことが言える。
【００２８】
なお、階段のささら桁の構築方法では材料を水平に重ねて一定方向にずらす構築方法なので、専門知識と三角関数は必要とせずその方法を提案するものである。
【００２９】
次に、本発明を実施するための形態について図面を参照して具体的に説明する。本明細書の説明においては、「上」「下」の方向は図面上の上下関係と同じ方向で説明し、「前」「後」の方向は、後述するエレメント或いはユニットを積み上げていく方向での手前側（図１、図５では右側）を「前」方向として説明する。
【００３０】
本発明の実施例では、エレメントを複数段重ねて１ユニットを構成し、そのユニットを上下前後方向（前後方向は、図１では左右方向に一致）に複数積み重ねて平面構造物を形成したものである。それを３段重ねて１ユニットを構成した状態の側面図であり、その１段部分をエレメントとして左右方向に複数接合して平面構造物を形成したものである。
【００３１】
本発明においては、構造物の構成要素であるエレメントを、１つのパーツとして構成する場合と、２つのパーツから構成する場合とを説明している。エレメントを上下に２つのパーツから構成した状態の構造体は、各パーツをローアーパーツ１aとアッパーパーツ１bと称し、本実施例の説明においては、それを「二個一式構造物構成部品」と呼ぶことがある（図５のハッチング部分）。
【００３２】
エレメントは、貫通孔が６個、開いておりその順番は、下部（ローアーパーツ１aの部分）は前（図３右）より大口径孔ａ、小口径孔ｂ、小口径孔ｃと開いている。上部（アッパーパーツ１ｂの部分）は貫通孔が、前（図３右）より小口径ｃ、小口径ｂ、大口径ａと開いている。
【００３３】
次いで、２段目のエレメントを前（図１右）からボルト孔を一つ後退した位置に連結し、前記同様に連結固定方法の大口径の貫通孔で連結固定を行い次のエレメントも同様に穴の同位置で連結固定を繰り返すことで構造体部品が斜め状に壁、床及び連結される、従って、二個一式構造物構成部品の構築方法同様に連結固定方法を繰り返すことで任意で面積及び長さの追加ができる。
【００３４】
本発明の実施例では、２つのパーツを接合して１つのエレメントを構成し、そのエレメントを複数段重ねて１ユニットを構成し、そのユニットを上下前後方向（前後方向は、図４では左右方向に一致）に複数積み重ねて平面構造物を形成したものである。図４では、ローアーパーツ１aとアッパーパーツ１bを接合してユニットの１段部分（エレメント）として構成し、それを３段重ねて１ユニットを構成した状態の側面図であり、その１段部分をエレメントとして左右方向に複数接合して平面構造物を形成したものであり、その詳細の組み合わせの状態が図５の側面図である。本発明においては、このようにローアーパーツ１aとアッパーパーツ１bの２パーツを接合してユニットの１段部分（エレメント）として構成し、それを複数段重ねて構造体を形成するエレメントを指して、本実施例の説明においては「二個一式構造物構成部品」と呼ぶことがある（図５のハッチング部分）。
【００３５】
二個一式構造物構成部品を構成するパーツとしてのローアーパーツ１aは、貫通孔が３個ａ，ｂ及びｃ開いておりその順番は、前（図５右）より大口径孔ａ、小口径孔ｂ、小口径孔ｃと開いている。次に貫通孔が、前（図５右）より小口径ｃ、小口径ｂ、大口径ａと開いているアッパーパーツ１ｂを、ローアーパーツ１aの３個の穴ａ，ｂ及びｃと同位置に、重ね合わせる。その際、大口径の貫通孔ａ内にナットを収容して２つのパーツを連結固定する。次いで、２段目のローアーパーツ１aを前（図５右）からボルト孔を一つ後退した位置に連結し、前記同様に連結固定方法の大口径の貫通孔で連結固定を行い次の１bアッパーパーツも同様に穴の同位置で連結固定を繰り返すことで構造体部品が斜め状に壁、床及び連結される。
【００３６】
従って、二個一式構造物構成部品を用いてこの連結固定方法を繰り返すことで任意で面積及び長さの追加ができる。構造物の構成要素であるエレメントを、１つのパーツとして構成する場合は、二個一式構造物構成部品が一つの部材から構成される状態を思い描けば理解は容易である。
【００３７】
なお、その場合は、エレメントを１つのパーツとして構成する場合も、二個一式構造物構成部品の場合も、貫通孔の穴同士の間隔（ｐ）は全て同じでなければならない。
【００３８】
以下、本発明の種々の実施例を図面に基づいて説明する。図４は、本発明の二個一式構造物構成部品の基本配列を示した図であり穴が３個の貫通孔（大、小、小）で構成する部品を強固に連結固定する状態を示した図であり、図５はその詳細を示した図である。
【００３９】
まず、最初に１aローアーパーツの３つの穴にボルト３４を通し(a)大口径の穴内にてナット３５で固定し、１bアッパーパーツの３つの穴に前記同位地のボルト３４を通し(a)大口径の穴内にてナット３５で固定することで図４の１段目の固定を完了させたものである（図５参照）。
【００４０】
次に、２段目の連結は一つボルトを後退させた位置より２段目も１段目同様に１aローアーパーツと１bアッパーパーツの固定し完了させたものである（図４参照）。
【００４１】
さらに、３段目も２段目の同様な方法で固定したものであり、この３段を基本的な構造で一つのユニットとして形成しとものである（図４参照）。
【００４２】
また、１段を構成する際に同時にコーナー部材（図６及び図７参照）を用い構築したユニットを連結することで壁、床の構造体の構築ができるのである。図４及び図１２はコーナー部材を用いて構築した側面図である。
【００４３】
なお、コーナー部材を使用しないで二個一式構造物階段構成部品４０を斜めに段の単体で積み上げて行くことにより階段の構造体も容易に構築できるのである（図１４参照）。
【００４４】
また、二個一式構造物構成ユニットを構成する際に二個一式構造物構成部品の１aローアーパーツと１bアッパーパーツの積み方の順番を逆にしたものであり、連結箇所が集中し連結ボルトが長尺の仕様である（図２０参照）。
【００４５】
次に、壁、床に用いる二個一式構造物構成ユニットのコーナー部品の切断する場所の説明に二個一式構造物構成部品２を使用し図面を用いて説明する（図６参照）。
【００４６】
二個一式構造物構成部品２の6個の貫通孔のコーナーカットは、貫通孔イ〜チの中心部のニとホの間で行うためには、コーナー部で互い違いに連結させるので進行方向（前）より１ブロックの１aローアーパーツは、穴から（穴間のピッチｐ÷２）−（二個一式構造物構成部品２の（厚さＤ）÷２）で計算されるｃ２（（穴間のピッチｐ÷２）−（二個一式構造物構成部品２の（厚さＤ）÷２）＝ｃ２）をおいて切断される。次に、１ブロックの１bアッパーパーツは、穴から（穴のピッチｐ÷２）＋（二個一式構造物構成部品２（厚さＤ）÷２）で計算されるｃ１（（穴のピッチｐ÷２）＋（二個一式構造物構成部品２（厚さＤ）÷２）＝ｃ１）で切断される。次に、２ブロックの１aローアーパーツは、穴から（穴のピッチｐ÷２）−（二個一式構造物構成部品２（厚さ）÷２）で計算されるｃ２で切断する。
【００４７】
よって、コーナー部品５２とコーナー部品５３とコーナー部品５６がコーナーの角で互い違いに連結することができる。
【００４８】
なお、前記コーナー部品のコーナー部品３枚５１，５３，５５の前に後ろのコーナー部品３枚５２、５４、５６を連結することで本発明の二個一式構造の連結配列パターンを崩すこと無く井桁状に積み上げることができる（図１２参照）ので、ログハウス等の構築に容易である。
【００４９】
前記コーナー部品の接続部は互い違いに連結される形状になっているが取り合いの無い場合は穴間のピッチｐ÷２で切断すると端面が一直線になる。よって、床の構築、間取りの開口はこの方式で行うと作業的な失敗は最小限に抑えることができる。
【００５０】
また、本発明の二個一式構造物構成ユニットの１ユニットは６枚積みなので前記の３枚分のコーナー部品の５１，５２，５３，５４，５５，５６は残り３枚分のコーナー部品５７，５８，５９，６０，６１，６２、と同一部品である（図６参照）。
【００５１】
このように、構成されており構造は複雑だがコーナー部品は６種類の部品でコーナー連結が可能である（図６参照）。
【００５２】
さらに、本発明の二個一式構造物構成部品２の６個の貫通孔のコーナーカット（図６参照）に二個一式構造物構成部品１（３個の貫通孔）で代用できる部分を引くことで残りの部品の二個一式構造物構成部品１（３個の貫通孔）を用いてコーナー部品としての使用可能である（図７参照）。
【００５３】
よって、二個一式構造物構成ユニットのコーナー部のカット及び垂直処理は切断した部品の端材は反対側に使用するので無駄な端材が発生しにくい仕組みであり、より幅の短い物にも対応できるものである（図６、図７、図１２、図２０、図２１参照）。
【００５４】
だが、本発明を用いて大面積の平面を構築する場合には、二個一式構造物構成部品１より接続箇所が少ない二個一式構造物構成部品２を使用するのが好ましいので運搬時の状況など考慮し二個一式構造物構成部品の長さの選択が可能である。
【００５５】
次に、この発明に好ましい状態での二個一式構造物構成ユニットか形成される二個一式構造物構成部品の穴とその本体の形状の状態につい二個一式構造物構成部品１の図面を用いて説明する。（図８及び図９参照）。
【００５６】
なお、二個一式構造物構成部品の基本的な穴が３個の貫通孔（大、小、小）及び６個の貫通孔（大、小、小、大、小、小）は、縦方向と横方向に構築可能な仕様になっており、縦使いは貫通孔４，５，６，８にボルト３４を貫通孔より大口径の穴３にパイプワッシャー２８を挿入し固定を行う貫通孔である。なお、横使いは貫通孔３、７，９にボルト３４を通し大口径の穴３に固定したナット３５を納める貫通孔である。
【００５７】
なお、３個の貫通孔を持つ二個一式構造物構成部品１の長さＬは、Ｌ＝Ｐ×３であり、二個一式構造物構成部品２は、Ｌ２＝Ｐ×６である（図８及び図９参照）。
【００５８】
そして、隣り合うパーツとの連結部の位置Ｅ１，Ｅ２については、Ｐ＝Ｅ１＋Ｅ２であり，推奨位置はＥ１＝（Ｐ／４）×３である。なお、Ｐは穴間のピッチである。
【００５９】
二個一式構造物構成部品１に全周に溝１０、１１が掘られており部品同士に連結する際にスペーサーブロック２６、２６を挟み込む溝であり、スペーサーブロックを挟み込むことで構造体同士のずれを防止でき、さらに、スペーサーブロックを組み込む際にコーキング材を注入することで外部からの風雨の進入を抑える効果がある。
【００６０】
このように、二個一式構造物構成部品に溝を設けることで部品同士の接続箇所の互換性を無くし向き方向の自由度を広げ穴の順番に寄る制限で構造体の構築できる機能を持ち、かつ部品の簡略化を計り二個一式構造物構成部品１で幅広い構造物を構築できるものである。
【００６１】
なお、使用されるボルト３４は大口径の貫通孔から次の大口径の貫通孔は内で連結させる為、穴で連結は二枚ずつの締め付けとなり使用するボルトの長さは（二個一式構造物構成部品の高さＨ×３）−パイプワッシャーの内径＋（ワッツシャーとナットの掛かり代×２）＝ボルト長さになる。よって、ボルト自体の長さは長尺にならない為、部品調達、部品管理も容易にでき、流通手段も二個一式構造物構成部品も同様に小型である。
【００６２】
次に、本発明の二個一式構造物構成ユニットの構築方法を具体的な実施の体形に基づいて例で詳しく説明する（図６及び図１２参照）なお、二個一式構造物構成部品にパイプワッシャー２８を挿入しボルト、ナットで仮固定した状態で準備した構造体部品の使用を前提とした説明とする。
【００６３】
まずは、基礎となる設置箇所をコンクリート打設する前に、固定用アンカーボルト７２をコンクリート型枠用アンカーボルト保持治具にて固定し、コンクリートを打設し基礎と固定可能な状態で構築するか（図２２及び図２３参照）、基礎の打設後にアンカーを打ちボルトにて固定用のボルト設置する方法、どちらかの方法で構築前に固定部材を施しコーナーより順番に前記の通り、コーナー部材５１をパイプワッシャー内で固定し、１０に溝にスペーサーブロック２６を挟み込み、ローアーパーツ１aを固定しスペーサーブロック２６を同じく挟み込み、５１の端材の５２を固定し1段目の溝１１にスペーサーブロック２７をボルト間に挟み込み連結箇所に止水材（コーキング材など）を塗布し同じくボルト貫通部に止水材（コーキング材など）を充填し、次にアッパーパーツ１ｂの列もローアーパーツ１aの列と同様に固定することで、二個一式構造物構成部品の一段目を形成する。
【００６４】
次に、進行方向の前より一つ後退した穴より前記の一段目の形成方法をと同じく行い２段目の形成する、３段目も２段目と同様に行う。
【００６５】
このようにして、前記３段目の構築で二個一式構造物構成１ユニットが形成される、
なお、この構築方法の連結及び接続箇所の縦方向は不規則に連結される為、強固に連結可能である。
【００６６】
さらに、二個一式構造物構成部品を連結させることで二個一式構造物構成ユニットの大きさや広さは無限大に構築が可能である。
【００６７】
なお平面に対する面積が多い場合で長尺の構造体で構築する方法として進行方向（前）大径、小径、小径とし、その前後に同じ順番の大径、小径、小径を追加することができ、３個の次に追加できる数は６個（二個一式構造物構成部品２）で次は９個である、つまり３の倍数で追加が可能である（図８及び図９参照）。
【００６８】
前記の二個一式構造物構成ユニットの構築方法を構築する際にパイプワッシャー２８を３１に変更しパイプワッシャー３１の下部を束及び基礎などにつけることで水平構築が可能である。
【００６９】
また、前記パイプワッシャー３１を接地させる際にライナーやスペーサーなので水平調整し、パイプワッシャー３１の上部の穴よりコンクリート及び樹脂性の接着剤などを流し固定させることで床のさらに強度のある床の構築が可能である。
【００７０】
さらに、前記水平構築された二個一式構造物構成ユニットに合板を貼ることにより、更に強力な床の構築が可能である。
【００７１】
同様に、壁構造に合板を貼ることにより、耐震性に優れた強固な壁の構築が可能である。
【００７２】
二個一式構造物構成ユニットの固定箇所の穴は脱着可能なキャップをすることにより、雨風の進入防止などができると共に、ボルトの緩みなどのメンテナンスも可能に構成できる。
【００７３】
次に、本発明の二個一式構造物構成ユニットの構築方法を利用し階段ささら桁の構築の方法を図面で説明する。図１４〜図１９は前記の発明に係る実施例の構築方法である、図４〜図１３のコーナーカット部品の説明を除いたものを用い本発明の二枚組み合わせた構造体部品の穴を一つずつずらし二枚組み合わせた二個一式構造物構成部品を固定し次も穴を一つずつずらし二枚組み合わせた二個一式構造物構成部品を固定する構築方法を利用したものである。よって平面構築の二個一式構造物構成ユニットの構築方法に、コーナー部品を除いた構築方法である。
【００７４】
また、二個一式構造物構成部品の二個一式構造物階段構成部品は、進行方向（前）大径、小径、小径でありも同じである。
【００７５】
また、複数枚の二個一式構造物構成部品を並べ垂直に積み上げていく平面構造物と違い独立して斜めに上昇していく二個一式構造物階段構成部品は前後の連結が無く作業性も向上させることができるのである。
【００７６】
なお、二個一式構造物階段構成部品は二個一式構造物構成部品と同じく穴の数が３つ以上で構成される二個一式構造物構成ユニットの部品であるが穴の追加については二個一式構造物構成部品の穴の追加方法と異なり中心の小口径の穴を基準にし（前）大浩径の穴（後）小口径の穴をベースに前後一つずつ追加可能である、つまり階段構造体の用いる穴の数は前後の取り合いが発生しないので３個以上の穴で数は奇数であれば構築可能である（図１４参照）。
【００７７】
本発明の二個一式構造物構成部品の穴配列と同様の貫通孔を形成した二個一式構造物階段構成部品を構築することによって平面構造体同様に強固な連結を可能にするのである。ただし、穴の追加数は、二個一式構造物構成部品は３の倍数、二個一式構造物階段構成部品は奇数であり固定方法も大きい穴のパイプワッシャー内で固定する方法で無く、大きい穴にナットを格納する方法だが原理は同じである。
【００７８】
よって、二個一式構造物階段構成部品の貫通孔の数は増えるほど構造体同士の連結枚数も増え、強度が増し本発明の二個一式構造物構成ユニットの構築方法を用いることで、二枚ずつ構造体の内部で固定することが可能であり強固に連結固定でき穴の数については適宜選択することができる（図１４参照）。
【００７９】
次に、本発明の二個一式構造物構成ユニットの構築方法を利用した階段ささら桁の寸法の設定方法を図面で説明する（図１４参照）。例で、蹴上（Ｈ）２００ｍｍ、踏み面（Ｄ）２５０とし、使用する材料は２５ｍｍの木製の材料とする、蹴上（Ｈ）２００÷厚さ２５＝８枚として、１ブロック２枚ずつずらすので、８枚÷２＝４なので、踏み面（Ｄ）２５０÷４＝６２．５よって、部品の貫通孔の穴の間隔は６２．５ｍｍである。この方法だと三角関数など専門知識が無くても階段ささら桁の製作を容易にでき作業効率を向上できるものである
【００８０】
次に、本発明の二個一式構造物構成ユニットの構築方法を利用した階段構造の施工方法を図１６（例は二個一式構造物階段構成部品３個の貫通孔）の具体的な実施の体形に基づいて例で詳しく説明する。
【００８１】
床に固定用のボルト３４と床下地８１と土台となる補強材８２をボルト配置位置に穴を開け固定できる伸ばした状態で、下地と土台を固定用のボルト３４で締付固定した上に仕上げした状態が最も好ましい。
【００８２】
次に階段構造体のボルト貫通孔の穴の数、下準備しておき二個一式構造物階段構成部品のボルト貫通孔の中心を基準に階段上り元（前）よりローアーパーツ４０a大径（前）、小径（中心）、小径（後）の方向でボルトを通し接地固定をし、小径（後）にナット３５で固定し次にアッパーパーツ４０ｂ小径（前）、小径（中心）、大径（後）の方向で同位置にかさねる。その際にローアーパーツ４０aを小径（後）に固定したナット３５がアッパーパーツ４０ｂの大径（後）の穴に格納された状態になり中心と前方のボルトにナット３４で固定することで本発明の１段目を形成することができる（図１６参照）。
【００８３】
次に、２段目に使用するローアーパーツ４０aの大径（前）、小径（中心）、小径（後）の後方の貫通孔にボルト３４を最大に出した状態にナット３５でローアーパーツ４０aをはさみ込み固定する。
【００８４】
前記、ボルトを取付けた４０aを１段目の中心から一つ後退したボルト３４を二段目の中心にボルトローアーパーツ４０aにボルトとナットを取り付けた構造体部品を大径（前）、小径（中心）の方向でボルトを貫通し結合させアッパーパーツ４０ｂを小径（前）、小径（中心）、大径（後）の方向でかさねる。その際にローアーパーツ４０aを小径（後）に固定したナット３５がアッパーパーツ４０ｂの大径（後）の穴に格納された状態になり中心と前方のボルトにナット３４で固定することで本発明の２段目の形成ができる（図１７(b)参照）。
【００８５】
３段目以降は上記同様に連結箇所の中心より一つ後退したボルト３４を中心（基準）とし２段目と同じ連結方法を行う。
【００８６】
このように積み重ねて連結固定する途中で階段の段板構造部品４１を入れ替えることで本発明の二個一式構造物構成ユニットの階段を容易に構築できるものである（図１８参照）。
【産業上の利用可能性】
【００８７】
いずれにしろ本発明に係る構造体の平面及び階段の施工方法と形状においては、色々な分野で利用でき、利用目的に応じて材質を樹脂、金属、コンクリートなど形成することも可能であり、あらゆる建造物において広く利用できるのである。
【符号の説明】
【００８８】
(1X)二個一式構造物構成部品（６箇所の貫通孔を持った構造体）
(1)二個一式構造物構成部品（３箇所の貫通孔を持った構造体）
(1a)二個一式構造物構成部品ローアーパーツ
(1b)二個一式構造物構成部品アッパーパーツ
(2)二個一式構造物構成部品（６箇所の貫通孔を持った構造体）
(2a)二個一式構造物構成部品ローアーパーツ
(2b)二個一式構造物構成部品アッパーパーツ
(3)大口径の貫通孔（パイプワッシャー格納孔）と横方向連結用貫通孔
(4)縦方向連結用貫通孔
(5)縦方向連結用貫通孔
(6)縦方向連結用貫通孔
(7)横方向連結用貫通孔
(8)縦方向連結用貫通孔
(9)横方向連結用貫通孔
(10)位置決めスペーサー用溝（横連結）
(11)位置決めスペーサー用溝（縦連結）
(12)大口径の貫通孔（パイプワッシャー格納孔）と横方向連結用貫通孔
(13)縦方向連結用貫通孔
(14)縦方向連結用貫通孔
(15)縦方向連結用貫通孔
(16)横方向連結用貫通孔
(17)縦方向連結用貫通孔
(18)横方向連結用貫通孔
(19)大口径の貫通孔（パイプワッシャー格納孔）と横方向連結用貫通孔
(20)縦方向連結用貫通孔
(21)縦方向連結用貫通
(22)縦方向連結用貫通孔
(23)横方向連結用貫通孔
(24)縦方向連結用貫通孔
(25)横方向連結用貫通孔
(26)スペーサーブロック小（横連結）
(27)スペーサーブロック大（縦連結）
(28)パイプワッシャー（壁用）
(29)連結固定用ボルト貫通孔
(30)連結固定用ボルト貫通孔
(31)ロングパイプワッシャー（床用）
(32)連結固定用ボルト貫通孔
(33)連結固定用ボルト貫通孔
(34)連結固定ボルト
(35)連結固定ナット、ワッシャーセット
(36)床施工用レベル調整用スペーサー (40)二個一式構造物階段構成部品（３箇所の貫通孔を持った階段用構造体）
(40a)二個一式構造物階段構成部品アッパーパーツ
(40b)二個一式構造物階段構成部品ローアーパーツ
(41)二個一式構造物階段構成部品の段板付き（３箇所の貫通孔を持った階段用構造体二個一式構造物階段構成部品）
(51)コーナー部品,２ａ,１段目、前方部品（６２と同じ）
(52)コーナー部品,２ａ,１段目、後方部品（６１と同じ）
(53)コーナー部品,２ｂ,１段目、後方部品（６０と同じ）
(54)コーナー部品,２ｂ,１段目、前方部品（５９と同じ）
(55)コーナー部品,２ａ,２段目、前方部品（５８と同じ）
(56)コーナー部品,２ａ,２段目、後方部品（５７と同じ）
(57)コーナー部品,２ｂ,２段目、前方部品（５６と同じ）
(58)コーナー部品,２ｂ,２段目、後方部品（５５と同じ）
(59)コーナー部品,２ａ,３段目、前方部品（５４と同じ）
(60)コーナー部品,２ａ,３段目、後方部品（５３と同じ）
(61)コーナー部品,２ｂ,３段目、前方部品（５２と同じ）
(62)コーナー部品,２ｂ,３段目、後方部品（５１と同じ）
(63)コーナー部品,１ａ,１段目、前方部品（１ｂ,３段目、後方部品）
(64)コーナー部品,１ａ,１段目、後方部品（１ｂ,３段目、前方部品）
(65)コーナー部品,１ｂ,１段目、前方部品（１ａ,３段目、後方部品）
(66)コーナー部品,１ｂ,１段目、後方部品（１ａ,３段目、前方部品）
(67)コーナー部品,１ａ,２段目、前方部品（１ｂ,２段目、後方部品）
(68)コーナー部品,１ａ,２段目、後方部品（１ｂ,２段目、前方部品）
(70)コンクリート型枠
(71)コンクリート型枠用アンカーボルト保持治具
(72)構造用物構成ユニット固定用アンカーボルト
(73)コンクリート基礎
(74)コンクリート基礎の鉄筋
(80)仕上げ材(フローリングなど)
(81)下地材(床の下地)
(82)土台(階段設置用補強土台)
(a)大口径の穴
(b)小口径の穴
(c)小口径の穴
(d)大口径の穴
(p)穴と穴の幅
(p1)3個の穴の幅（基本の貫通孔）
(c1)コーナーカットの幅
(c2)コーナーカットの幅
(E) 穴と穴の幅
(E1)連結部の幅
(E2)連結部の幅
(L)１の全長
(L2)２の全長
(H)構成パーツの高さ
(D) パーツの幅
(K)階段の蹴上寸法
(F)階段の踏み面寸法
【図１】
2014040764.tif 000003
【図２】
2014040764.tif 000004
【図３】
2014040764.tif 000005
【図４】
2014040764.tif 000006
【図５】
2014040764.tif 000007
【図６】
2014040764.tif 000008
【図７】
2014040764.tif 000009
【図８】
2014040764.tif 000010
【図９】
2014040764.tif 000011
【図１０】
2014040764.tif 000012
【図１１】
2014040764.tif 000013
【図１２】
2014040764.tif 000014
【図１３】
2014040764.tif 000015
【図１４】
2014040764.tif 000016
【図１５】
2014040764.tif 000017
【図１６】
2014040764.tif 000018
【図１７】
2014040764.tif 000019
【図１８】
2014040764.tif 000020
【図１９】
2014040764.tif 000021
【図２０】
2014040764.tif 000022
【図２１】
2014040764.tif 000023
【図２２】
2014040764.tif 000024
【図２３】
2014040764.tif 000025